(57)【要約】【課題】折り曲げ耐性、製造容易性、大面積対応に優れ、製造コストの低い電気泳動表示装置を提供する。【解決手段】観察側基板１と背面側基板２とは、グラスビーズスペーサを用いて所定の対向間隔を設定されている。対向間隔内に分散液体の液塊７が表示電極３ごとに配置され、隣接する液塊７の間隔は、分散液体３と混合しない液体材料の液体隔壁８で仕切られている。分散液体は帯電粒子６に対して親液性が高く、液体隔壁８の液体材料は、帯電粒子６に対して撥液性が高いので、帯電粒子６は、液塊７内に閉じ込められて、液体隔壁８に侵入しない。【選択図】図１
2007316349.tif 000002
【特許請求の範囲】
【請求項１】
観察側に配置された透明な観察側基板と、
前記観察側基板に対向配置される背面側基板と、を備えた粒子移動型表示装置において、
前記観察側基板と前記背面側基板との間隔に配置されて、帯電粒子が移動可能に分散された分散液体の液塊と、
前記背面側基板上で隣接する前記液塊を相互に隔離する液体材料の液体隔壁と、を備え、
前記液体隔壁の前記帯電粒子に対する親和性は、前記分散液体よりも低いことを特徴とする粒子移動型表示装置。
【請求項２】
前記分散液体に対して親和性が高い表示領域を、前記液塊の平面配置に一致させて、前記背面側基板と前記観察側基板との少なくとも一方に配置し、
前記表示領域の間に位置する境界領域は、前記表示領域よりも前記分散液体に対する親和性が低いことを特徴とする請求項１記載の粒子移動型表示装置。
【請求項３】
前記表示領域は前記分散液体に対する親液部、一方、前記境界領域は前記分散液体に対する疎液部であることを特徴とする請求項２記載の粒子移動型表示装置。
【請求項４】
前記液塊と前記液体材料との間に、界面形成物質の境界層が配置されていることを特徴とする請求項１記載の粒子移動型表示装置。
【請求項５】
前記液体材料が、導電性材料であることを特徴とする請求項１記載の粒子移動型表示装置。
【請求項６】
前記液体材料は、複数の液塊に対して共通の電位の面をそれぞれ準備する共通電極であることを特徴とする請求項５記載の粒子移動型表示装置。
【請求項７】
一対の基板部材の間隔に帯電粒子を含む液塊が平面配列され、前記液塊が液体材料の液体隔壁で仕切られる粒子移動型表示装置の製造方法であって、
帯電粒子を含む分散液体の液塊を一方の前記基板部材上に平面配列させる第１工程と、
前記液塊が平面配列された前記基板部材に他方の前記基板部材を重ねて対向間隔を設定する過程で前記液塊の間隔を満たした余分な前記液体材料を押し出し排出する第２工程と、を備えることを特徴とする粒子移動型表示装置の製造方法。
【発明の詳細な説明】
【技術分野】
【０００１】
本発明は、印加した電界に応答させて分散液体中で帯電粒子を移動させる粒子移動型表示装置、詳しくは帯電粒子を分散させた分散液体の液塊を相互に隔離する隔壁構造に関する。
【背景技術】
【０００２】
非発光型の表示デバイスとして、印加した電界に応答させて分散液体中で帯電粒子を移動させることにより画素表示を行う電気泳動表示装置が提案されている。電気泳動表示装置は、バックライト無しでも明るい反射型表示が可能で、液晶表示素子のような保持電圧無しで画像表示を保持できる表示メモリ性も可能である。従って、低消費電力の画像表示デバイスとして注目されている。
【０００３】
特許文献１には、背面側基板に形成した隔壁構造で表示単位を仕切って移動空間を形成し、帯電粒子を分散させた分散液体を移動空間に充填した電気泳動表示装置が示される。ここでは、隔壁で囲まれた表示単位の底に表示単位ごとの表示電極が配置される。隔壁の表面は導電性材料で覆われて複数の表示単位に共通な電位の面を準備する共通電極となっている。共通電極を接地電位として、表示電極の電位極性を正極性と負極性とに反転させると、表示単位の表示が反転する。表示電極に印加する電圧信号の電圧と印加時間とを制御して、帯電粒子による表示面の部分的な遮光状態を形成することにより、中間階調が表示される。
【０００４】
特許文献２には、第１透明電極を形成した観察側基板と第２透明電極を形成した背面側基板との間の封入空間に、柔軟な導電性区画部材を配置した電気泳動表示装置が示される。ストライプ状もしくはメッシュ状の導電性区画部材によって複数の区画室が区画され、導電性区画部材が第３電極を構成している。第１透明電極と第２透明電極との少なくとも一方は、第３電極とともに直流電圧を印加される。
【０００５】
特許文献３には、固体の隔壁を使用することなく、帯電粒子を分散させた画素ごとの分散液体を相互に隔離した電気泳動表示装置が示される。ここでは、分散液体に対する親液性の高い表示領域を背面側基板上の画素ごとに形成し、分散液体に対する撥液性の高い境界領域を表示領域の間隔に形成している。帯電粒子を含む分散液体の液塊が表示領域に捕捉されて位置決めされる。表示領域と境界領域とのパターンを同様に形成した観察側基板を、液塊を乗せた背面側基板に重ねて対向間隔を設定する過程で、液塊を隔離する余分な空気が押し出し排出されて、空気を隔壁とする電気泳動表示装置が形成される。
【０００６】
【特許文献１】特開２００５−３５１９９３号公報
【特許文献２】特開平０４−２１２９９０号公報
【特許文献３】特開２００４−２８６８３６号公報
【発明の開示】
【発明が解決しようとする課題】
【０００７】
特許文献１に示される電気泳動表示装置では、薄膜トランジスタ素子や表示電極を形成した背面側基板に、成膜、露光、現像を含む５工程以上を以上を費やして、固体の隔壁構造を形成する必要がある。固体の隔壁構造は、背面側基板の曲げに抵抗するリブ構造となるため、観察側基板と背面側基板とに薄い樹脂板を用いてフレキシブルな電気泳動表示装置を形成した際に、フレキシブル性が損なわれる可能性がある。
【０００８】
固体の隔壁構造は、背面側基板の曲げに抵抗する過程で応力に晒されるため、大きな曲げを与えた際に破断やはがれを引き起して画素が破損する可能性がある。固体の隔壁構造は、構造強度上、製造プロセス上の制約からある程度の厚みが必要なので、画素サイズが小さくなると、画素の開口率が低下して、コントラストが低下したり、画素表示が暗くなったりする。
【０００９】
特許文献２に示される電気泳動表示装置では、観察側基板と背面側基板とのごく狭い対向間隔にメッシュ状またはストライプ状の導電性区画部材を形成する必要がある。
【００１０】
特許文献３に示される電気泳動表示装置では、高温環境で長期間放置すると、空気の隔壁で仕切られた分散液体の液塊が蒸発し、局所的に凝縮して液塊が成長して画素が融合する可能性がある。押圧や衝撃によって分散液体の液塊が融合するため、薄型やフレキシブル型の電気泳動表示装置には無理がある。
【００１１】
また、液体の分散液体と空気とでは屈折率が大きく異なるため、分散液体の側面の界面全反射によって、斜め方向からでは、画素表示を十分に観察できず、表示品質が低下する。空気の隔壁構造では、固体の隔壁構造のように黒く着色してブラックマトリックスを形成できないし、隔壁の起立面に導電性を付与して電極面を形成することもできない。
【００１２】
本発明は、フレキシブル性が高く、隔壁の着色と電極面形成とが可能で、固体の隔壁構造よりも少ない工程数で製造できる粒子移動型表示装置を提供することを目的としている。
【課題を解決するための手段】
【００１３】
本発明の粒子移動型表示装置は、観察側に配置された透明な観察側基板と、前記観察側基板に対向配置される背面側基板とを備えたものである。前記観察側基板と前記背面側基板との間隔に配置されて帯電粒子が移動可能に分散された分散液体の液塊と、前記背面側基板上で隣接する前記液塊を相互に隔離する液体材料の液体隔壁とを備える。前記液体隔壁の前記帯電粒子に対する親和性は、前記分散液体よりも低くしてある。
【発明の効果】
【００１４】
本発明の粒子移動型表示装置では、特許文献３と同様に、固体の隔壁構造に頼ることなく、背面側基板上で多数の液塊がそれぞれ自己形状を保持する。しかし、隣接する液塊の間隔は、分散液体との混合を禁じられた液体材料で満たされ、液体材料に境界付けられた液塊の界面内で帯電粒子を移動させて必要な表示を行う。液体材料は、液塊の形状を保持することなく、背面側基板上で隣接する液塊の間隔を満たし、背面側基板の曲げに追従して流動するので液体隔壁には応力が生じない。
【００１５】
従って、隔壁構造が背面側基板の曲げに抵抗せず、概ね背面側基板の曲げ抵抗と観察側基板の曲げ抵抗とだけで粒子移動型表示装置の曲げ抵抗が形成される。粒子移動型表示装置の曲げに追従して隔壁構造が自由に伸縮し、隔壁構造に応力を生じないので、破断やはがれを引き起して画素が破損することもない。
【００１６】
従って、背面側基板の曲げ動作に対する耐性に優れ、外部応力が取り除かれた時の形状復元にも優れ、製造容易性、大面積対応にも優れる。空気の隔壁に比較して着色が容易なので、黒色の液体隔壁によるブラックマトリックスの形成も可能である。空気の隔壁に比較して導電性の付与が容易なので、液体隔壁の起立面を電極として利用する画素構造も採用できる。液体材料の屈折率を分散液体に近い値に選択できるため、界面反射による光損失が少なく、表示品位を向上できる。
【発明を実施するための最良の形態】
【００１７】
以下、本発明の粒子移動型表示装置の一実施形態である電気泳動表示装置について、図面を参照して詳細に説明する。本発明の粒子移動型表示装置は、以下に説明する各実施形態の限定的な構成には限定されない。帯電粒子を含む分散液体の液塊を液体隔壁で相互に隔離する限りにおいて、各実施形態の構成の一部または全部を、その代替的な構成で置き換えた別の実施形態でも実現可能である。
【００１８】
本実施形態では、背面側基板に反射面を配置した反射型の構成を説明するが、背面側基板の背後にバックライトを配置する透過型、バックライトと反射面とを併用する半反射型としてもよい。単色二階調の画素表示でなく、特許文献１に示されるような多階調の画素表示としてもよい。連続した３つの表示単位にＲＧＢカラーフィルタを配置して１つの画素を構成し、それぞれ多階調駆動してフルカラー表示してもよい。
【００１９】
なお、特許文献１〜３に示される電気泳動表示装置の一般的な構成部材、材料、回路構成、駆動方法等については、繰り返しの煩雑を回避すべく一部図示を省略し、詳細な説明も省略する。
【００２０】
＜第１実施形態＞
図１は第１実施形態の電気泳動表示装置の断面構成の説明図、図２は変形例の電気泳動表示装置の断面構成の説明図である。図１中、（ａ）は黒表示、（ｂ）は白表示である。
【００２１】
図１の（ａ）に示すように、観察側に位置する透明な観察側基板１と、不図示の駆動回路を形成した背面側基板２とが、不図示のスペーサ構造によって所定の間隔を開けて配置される。背面側基板２上には、画素ごとの表示電極３と、表示電極３を格子状に囲む共通電極４とが形成され、表示電極３および共通電極４を覆って絶縁層５が形成されている。
【００２２】
絶縁層５表面の表示電極３に重なる位置には、分散液体に対して親液性の高い表示領域が形成されている。表示領域の間隔には、分散液体に対して撥液性の境界領域が格子状に形成されている。これにより、帯電粒子６を含む分散液体の液塊７は、表示電極３上の絶縁層５に密着し、自律的に表示電極３の輪郭形状に成形される。
【００２３】
液体材料は、隣接する分散液体の液塊７の間隔を満たして液体隔壁８を形成して、それぞれの表示電極３上に配置された分散液体の液塊７を隔離する。帯電粒子６は、分散液体に対して適度な親和性と良分散性とを有するが、液体材料に対しては強い撥液性を有するので、帯電粒子６は、液塊７内に閉じ込められて液体隔壁８に侵入しない。
【００２４】
帯電粒子６は、黒色に着色されて分散液体の液塊７内ではプラス帯電である。透明な観察側基板１、絶縁層５を通じて視認される表示電極３の表面には、白色散乱面が形成されている。表示電極３と共通電極４との間に電圧を印加すると、液塊７の界面内では、表示電極３と共通電極４との間に形成される平面方向の電界に応答して帯電粒子６が自由に移動する。
【００２５】
表示電極３と共通電極４との間で帯電粒子６を移動させて、表示電極３上における帯電粒子６の集合状態を変化させることにより、画素２０の表示が変化する。背面側基板２上には、このような画素２０が格子状に多数平面配列されており、それぞれの画素２０に必要な表示状態を設定することにより、電気泳動表示装置１００に画像が表示される。
【００２６】
図１の（ａ）に示すように、共通電極４を接地電位として、表示電極３にマイナスの電圧を印加すると、帯電粒子６は、表示電極３を覆って広がり、画素２０が黒表示となる。反対に、図１の（ｂ）に示すように、表示電極３にプラスの電圧を印加すると、帯電粒子６は、液体隔壁８の起立面に引き寄せられ、白色の表示電極３が露出して、画素２０が白表示となる。
【００２７】
液塊７の分散液体と液体隔壁８の液体材料とは、混合しない液体から構成されている。分散液体に良分散性の帯電粒子６は、液体隔壁８の液体材料との濡れ性が悪く、液塊７と液体隔壁８との界面において、帯電粒子６が液体隔壁８の液体材料と混合することはない。つまり、帯電粒子６と分散液体との濡れにより得られる安定化エネルギーが、液体隔壁８への濡れにより得られる安定化エネルギーよりも大きくなる関係を設定してある。これにより、帯電粒子６が液体隔壁８に拡散することはない。更には、得られる安定化エネルギー差を大きくすることにより、電界印加による帯電粒子６の液体隔壁８への衝突においても、帯電粒子６が液体隔壁８に取り込まれることはない。
【００２８】
なお、分散液体よりも粘性の高い液体隔壁８の液体材料を選んでもよい。液体隔壁８と液塊７の界面が帯電粒子６と逆極性に帯電する界面形成剤を液体隔壁８の液体材料に添加してもよい。これにより、帯電粒子６の侵入に対する液体隔壁８の反発力を高めることが可能となる。
【００２９】
観察面となる観察側基板１は、可視光の透過率の高い材料で構成される。例えば、ポリエチレンテレフタレート（ＰＥＴ）、ポリエーテルサルフォン（ＰＥＳ）、ポリイミド（ＰＩ）、ポリエチレンナフタレート（ＰＥＮ）、ポリカーボネート（ＰＣ）等のポリマーフィルム或いはガラス、石英等の無機材料を使用できる。背面側基板２は、必ずしも透明である必要はなく、上記材料に加え、ＳＵＳ、アルミニウム、チタン等の金属基板やフィルム基板を使用できる。
【００３０】
表示電極３および共通電極４は、背面側基板２の上に形成された金属薄膜を整形して作製されが、透明な導電性材料を用いてもよい。図２に変形例として示すように、表示電極３を背面側基板２に配置する一方、透明な導電性材料を用いた共通電極４を観察側基板１に配置することが可能である。
【００３１】
図２の構成では、観察側基板１と背面側基板２との間で垂直方向に帯電粒子６を移動させる。特許文献１に示されるように、着色した分散液体における帯電粒子６の浮上／着底によりコントラストを表示できる。帯電と透過率、もしくは着色の異なる２種類の帯電粒子を混合して用いることにより、表示を行うこともできる。
【００３２】
図１の（ａ）に示す共通電極４を液体隔壁８に接触させ、液体隔壁８の液体材料に導電性材料を用いることにより、液体隔壁８は、共通電極４に接続した電極面として利用できる。背面側基板２上の帯電粒子６の移動に加え、液体隔壁８の方向にも帯電粒子６を移動させて、画素２０の表示を行うことができる。液体隔壁８が導電性材料で形成されている場合には、格子状の共通電極４は必ずしも必要ではなく、液体隔壁８が共通電極４を兼用できる。
【００３３】
表示電極３、共通電極４は、無機／有機の導電性材料を用いて、鍍金、蒸着、インクジェット法、スクリーン印刷法、などにより形成できる。Ａｕ、Ａｇ、Ａｌ、Ｔｉ、ＴｉＣ、Ｃｕ、ＩＴＯ、ＡＴＯ、ＦＴＯ、ＡＺＯ、ＺｎＯ、その他導電膜材料（上記以外の金属、導電性窒化物、導電性ホウ化物、有機導電性材料等）を利用できる。
【００３４】
絶縁層５は、透明な絶縁性材料、あるいは所望の色で着色された絶縁性材料を用いて形成される。絶縁層５は、帯電粒子６と異なる透過率、あるいは異なる着色とする。これにより、帯電粒子６が表示電極３上に一様に広がった時と、帯電粒子６が液体隔壁８の側に移動した時とで画素２０のコントラストが得られる。
【００３５】
絶縁層５には、プラスチック材料やガラス材料等を使用できる。これらの材料に、酸化チタン、酸化亜鉛、酸化アルミニウムなどの無機酸化物顔料、染料を混ぜ合わせて着色化、光散乱面化してもよい。プラスチック材料としては、ポリイミド樹脂、ポリエステル樹脂、ポリアクリレート樹脂、ポリメタクリレート樹脂、ポリカーボネート樹脂、エポキシ樹脂、ノルボルネン樹脂、ウレタン樹脂、シリコーン樹脂等である。絶縁層５の上に、分散液体の液塊７の位置を規定する立体構造物を形成してもよい。分散液体に対する親液部と疎液部からなる化学的パターンを形成してもよい。
【００３６】
＜帯電粒子＞
帯電粒子６は、絶縁層５もしくは表示電極３と異なる透過率、あるいは異なる着色である。帯電粒子６の平均粒径は、分散液体中で電界に応答して泳動可能であれば特に限定されないが、０．０１μｍ以上１０μｍ以下、更には０．０５μｍ以上３μｍの範囲が好ましい。３μｍを超えると画素表示のコントラストが低下する。帯電粒子６は、必要に応じて乾式分級、湿式分級等の公知の方法で、平均粒径を上記の範囲内に制御できる。帯電粒子６は、透過率あるいは着色の異なる２種類以上の帯電粒子を混ぜて使用できる。
【００３７】
帯電粒子６としては、無機粒子、高分子樹脂粒子、あるいは、これらの複合粒子のいずれにも特に限定はされない。帯電粒子６が無機粒子である場合、二酸化チタン、黒鉛、カーボンブラック、シリカ、アルミナ等を用いることができる。これらの無機粒子は、造粒法、粉砕法、ゾルゲル法から得られたものを分級することにより帯電粒子６として用いることができるが、その製法は特に上記方法に限定されない。帯電粒子６が高分子樹脂粒子の場合、懸濁重合法、分散重合法、シード重合、あるいは乳化重合法などの公知の方法から得ることができるが、これらの方法に限定されない。
【００３８】
帯電粒子６が複合粒子である場合、使用する高分子重合体としては、分散液体中で性状が長期間安定し、電界に応答して泳動可能であれば特に限定されない。しかし、例示すれば、ポリスチレン、ポリエチレン、ポリエステル、ポリメタクリレート、ポリアクリルレート、ポリアクリル酸エステル、ポリエチレン−アクリル酸共重合体、ポリエチレン−メタクリル酸共重合体、ポリエチレン−酢酸ビニル共重合体等のポリエチレン系樹脂その他ポリ塩化ビニル樹脂、ニトロセルロース、フェノール樹脂、ポリアミド樹脂等の高分子材料が挙げられる。これらの材料は単独あるいは２種類以上を併用してもよい。
【００３９】
帯電粒子６としては、市販の粒子を用いることができる。例えば、積水化学工業（株）製のミクロパール（登録商標）、ナトコ（株）製のナトコスペーサー粒子（登録商標）、日本触媒化学工業（株）製のエポカラー粒子（登録商標）、総研化学（株）製のケミスノー（登録商標）、ＧＥ東芝シリコーン（株）製のトスパール（登録商標）、積水化成品工業のテクポリマー（登録商標）等が挙げられるが、特に限定されるものではない。
【００４０】
帯電粒子６に所望の表面特性を付与するために、帯電粒子６の表面を被覆することができる。具体的には、核となる種粒子に対して高分子重合体のモノマーをシード重合させる方法、グラフト重合させる方法、カップリング剤によるカップリング基を介して粒子表面を高分子重合体で被覆する方法がある。あるいは、高分子重合体を溶媒に溶解させた溶液で粒子表面を被覆し溶媒を除去する方法、粒子表面をプラズマ処理する方法等もある。
【００４１】
帯電粒子６は、使用する電気泳動表示装置の表示方法に合わせて着色することができる。着色剤としては特に限定されないが、例えば、カーボンブラック、酸化チタン、等の顔料、オリエント化学社製のＯｒｉｅｎｔ  Ｏｉｌ  Ｂｌａｃｋ（登録商標）等の染料が挙げられる。着色剤の中で、単独で帯電粒子６として使用できる顔料も使用することができる。
【００４２】
複数の顔料粒子から複合粒子を作製してもよい。染料と高分子重合体とから複合粒子を作製してもよい。そのような方法としては、高分子重合体の重合過程（モノマー仕込み時を含む）で顔料粒子や染料を添加して乳化重合、分散重合、懸濁重合、あるいはシード重合を行う方法がある。高分子重合体の粒子自体を染料で染色する方法、顔料粒子を高分子重合体と溶融混練し粉砕する方法もある。高分子重合体を溶媒に溶解させた溶液に顔料粒子あるいは染料を添加し、その後溶媒を除去、溶液の温度を下げる、あるいは貧溶媒を使用した再沈殿を行って複合粒子を析出・造粒する方法もある。このような様々な公知の方法を利用できる。また、複合粒子を構成する高分子重合体あるいは染料は、溶剤に対する不溶化を目的として架橋処理や固定化処理を施して使用することもできる。さらに、複合粒子の着色度合いに応じて、顔料粒子と染料を混合して使用することができる。
【００４３】
＜分散液体＞
液塊７の分散液体は、上記条件を満たすものであれば特に限定されないが、無色で光透過性が高く、かつ、絶縁性の高い液体であることが望ましい。例えば、ベンゼン、トルエン、キシレン、ナフテン酸系炭化水素などの芳香族炭化水素系溶剤、ヘキサン、シクロヘキサン、ケロシン、パラフィン系炭化水素溶媒等である。イソパラフィン系炭化水素等の脂肪族炭化水素系溶媒、ハロゲン化炭化水素系溶媒等もある。あるいはシリコンオイル、高純度石油、フルオロエチレン、オクタフルオロシクロペンタン、ハイドロフルオロエーテル等のフッ素系溶剤もある。これらの溶剤は単一種で使用することも、複数種を混合させて使用することもできる。
【００４４】
液体隔壁８により規定される分散液体の液塊７の大きさは、特に限定されないが、１μｍ〜２００μｍであることが好ましい。２００μｍを超えると、画像表示の解像度が低下し、また、１μｍよりも小さいと、分散液体の液滴の制御性が低下する。また、分散液体の液塊７は、自由に形を変えることができ、観察側基板１と背面側基板２とで挟持することも、背面側基板２に形成した立体構造物や凹凸構造に収納することも可能である。
【００４５】
液塊７の分散液体には、帯電粒子６の分散を補助するための帯電制御剤、絶縁層５への帯電粒子６の固着を防止するための付着制御剤等を添加することができる。帯電制御剤は、溶剤に可溶であるならば特に限定されない。しかし、例示すれば、カルボン酸塩、スルホン酸塩、硫酸エステル塩、リン酸エステル塩などの陰イオン界面活性剤、脂肪族アミン塩およびその４級アンモニウム塩、芳香族４級アンモニウム塩、複素環４級アンモニウム縁などの陽イオン界面活性剤、カルボキシベタイン、スルホベタイン、アミノカルボン酸塩、イミダゾリン誘導体などの両性界面活性剤、エーテル型、エーテルエステル型、エステル型、含窒素型の非イオン性界面活性剤、金属石鹸、弗素系界面活性剤、反応性界面活性剤、ブロック型ポリマー、グラフト型ポリマー等が挙げられる。これらの液体を単独、あるいは２種類以上混合して、分散液体としてもよい。
【００４６】
付着制御剤は、溶剤に相溶性のあるものであれば得に限定されない。例示すれば、ポリアクリルアミド、ポリビニルアルコール、ポリエチレン、ポリスチレン、ポリブタジエン、ポリジメチルシロキサン、ポリプロピレン、ポリメタクリル酸メチル、ポリテトラフルオロエチレン、ポリ塩化ビニル、ポリイソプレン、ポリブテン、スチレンブタジエン共重合体、スチレンイソプレン共重合体、スチレン無水マレイン酸共重合体、弗素高分子、ノルボルネン樹脂、ポリエチレンワックス、各種鹸化度および分子量のポリビニルアルコールやポリビニルピロリドンなどの高分子、界面活性剤、パーフルオロアルキル基含有オリゴマー等の弗素系界面活性剤等を用いることができる。中でも、スチレンブタジエン共重合体が好ましく、例えば、市販の材料としては、ＪＳＲ（株）製のＥ−ＳＢＲ、Ｓ−ＳＢＲ（登録商標）、日本ゼオン（株）製のＮＩＰＯＬ  １５０２，ＮＩＰＯＬ  １７１２、ＮＩＰＯＬ  ＮＳ１１２、ＮＩＰＯＬ  ＮＳ１１６、ＮＩＰＯＬ  １００６、ＮＩＰＯＬ  １００９（登録商標）、旭化成のタフデン、タフプレン、アサプレン（登録商標）、住友化学（株）製の住友ＳＢＲ（登録商標）を使用できる。
【００４７】
＜液体隔壁＞
液体隔壁８の液体材料は、特に限定されないが、液塊７の分散液体と混合しない液体材料が望ましい。分散液体と混合しない液体材料を選択することにより、液体隔壁８の構造が安定に保たれるからである。液体隔壁８の屈折率は、液塊７の分散液体と近い値を有することが望ましく、屈折率差を０．１以下に設定することにより、光損失を小さくできる。
【００４８】
液体隔壁８の液体材料は、粘度が高い液体を使用することも、分散液体の液塊７との界面を安定に保つためには有効である。特に限定はされないが、５ｍＰａ・ｓ（５ｃｐ）以上の液体が好ましい。液体材料の粘度調整のために、液体材料に高分子増粘剤などを添加することもできる。
【００４９】
液体隔壁８の液体材料としては、特に限定されないが、水、イオン液体、各種有機溶媒を使用することができる。更に、電気伝導率の制御のために、各種無機塩類、有機化合物などを添加してもよい。液体材料として導電性材料を用いれば、液体隔壁８は、表示電極３を囲む電極面として利用可能である。この場合、少なくとも表示電極３を観察側基板１もしくは背面側基板２に配置して、帯電粒子６を表示面に沿った方向に移動させる。液体隔壁８の液体材料に用いる導電性材料としては、例えばイオン液体が好ましく、具体的には、脂環式アミン系、脂肪族アミン系などが挙げられる。イオン液体の例としては、Ｚｗｉｔｔｅｒｉｏｎｉｃ型、トリプルイオン型等の芳香族四級アンモニウム塩、あるいは脂肪族四級アンモニウム塩等のイオンのみからなる溶媒も利用できる。
【００５０】
＜製造方法＞
次に、第１実施形態の電気泳動表示装置１００の製造方法について説明する。
【００５１】
まず、図１に示すように、背面側基板２上に、表示電極３および共通電極４を形成して絶縁層５で被覆する。観察側基板１、背面側基板２には、液塊７および液体隔壁８の位置規定のための分散液体に対する親液部と疎液部とからなる化学的パターンを形成する。
【００５２】
所望の間隔で配置される観察側基板１と背面側基板２との間隔へ帯電粒子６を含む分散液体の液塊７を充填し、液体隔壁８を形成する方法は以下の手順である。
（１）帯電粒子６を含む分散液体を、背面側基板２の表示電極３上に、最終的な液塊７の体積を持たせた液滴として１個ずつ点滴配置する。
（２）液塊７は、背面側基板２に形成された分散液体に対する親液性の領域（表示領域）に広がり、表面張力によってドーム状に盛り上がる。
（３）液塊７が配列した背面側基板２に液体隔壁８の液体材料を注いで液塊７を液体材料に沈める。
（４）液体材料の上に観察側基板１を重ねて、背面側基板２との間隔が所定の対向間隔となるまで、観察側基板１で液塊７を押し潰す。
（５）液塊７は、観察側基板１に形成された分散液体に対する親液性の領域（表示領域）に広がり、表示電極３の平面形状に成形される。
（６）液塊７が押し潰される過程で、液塊７の隙間が絞り込まれ、余分の液体材料が、観察側基板１と背面側基板２との間から押し出し排出される。
【００５３】
なお、表示電極３上に液塊７を点滴配置する工程は、複数のノズルを画素２０間隔で配列したインクジェットヘッドを利用できる。背面側基板２上に液塊７を配置する工程は、最終的な液塊７の体積を持つ無数の液滴粒を分散させた液体材料を背面側基板２上に展開または塗布する工程としてもよい。液滴粒を分散させた液体材料は、帯電粒子６を含む分散液体を液体材料に点滴して形成してもよい。いずれにせよ、観察側基板１を背面側基板２に重ねて所定の対向間隔とする過程で、液滴７を損なうことなく、不要な液体材料を押し出し排出できる。また、所望の間隔をもって組み立てた観察側基板１と背面側基板２との間に、帯電粒子６を含む分散液体の液塊７および液体隔壁８の液体材料を充填してもよい。
【００５４】
ところで、帯電粒子６を含む分散液体の液塊７の区画室形成は、観察側基板１と背面側基板２との間に充填する前に行うことも、充填した後に行うことでも可能である。観察側基板１と背面側基板２との間に充填する前に液塊７の区画室を形成する方法としては、分散液体の液塊７を内部に含有するマイクロカプセルを背面側基板２上に配列する方法がある。マイクロカプセルの被覆材料を液体材料に溶解する物質や加熱溶解（あるいは加熱蒸発）する物質とすることで、最終的に固体隔壁の無い液塊７を形成できればよい。
【００５５】
分散液体の液塊７を内部に含有するマイクロカプセルは、界面重合法、不溶化反応法、相分離法或いは界面沈殿法などの手段で作製できる。このほか、所望の液量を吐出できるノズルより帯電粒子６を含む分散液体の液塊７を吐出させ、高分子層で被覆する方法でも作製可能である。
【００５６】
分散液体の液塊７を内部に含有するマイクロカプセルは、液体隔壁８の液体材料に分散させて背面側基板２上に配置してもよく、観察側基板１と背面側基板２との間に充填してもよい。
【００５７】
また、先に背面側基板２上に分散液体の液塊７を内部に含有するマイクロカプセルを配置し、観察側基板１にて封止した後に、毛細管現象などを利用して液体隔壁８の液体材料を充填することもできる。
【００５８】
観察側基板１と背面側基板２との間に帯電粒子６を含む分散液体を充填した後に、液塊７の区画室を形成する方法もある。例えば、帯電粒子６を含む分散液体と液体隔壁８の液体材料との混合物を、所望の間隔で配置された観察側基板１と背面側基板２との間へ充填する。観察側基板１と背面側基板２とには、分散液体に対する親液性の異なる化学的パターニングを施しておく。
【００５９】
あるいは、帯電粒子６を含む分散液体と液体隔壁８の液体材料とを、観察側基板１と背面側基板２との間に、所定量ずつ交互に充填する。その後、外部より超音波振動などの外部刺激を印加して、帯電粒子６を含む分散液体の液塊７と液体隔壁８とを、それぞれ親液性の高い位置に移動させる。これにより、充填された分散液体の液塊７および液体隔壁８は、エネルギー的に安定化されて、分散液体の液塊７の区画室の形成が達成できる。
【００６０】
分散液体の液塊７の区画室の大きさは、各画素の大きさに対応している必要はなく、画素当たりに複数の区画室を配置しても良く、複数の画素に１つの区画室を割り当ててもよい。
【００６１】
第１実施形態の電気泳動表示装置１００は、所定間隔を開けて配置された観察側基板１と背面側基板２と、この間隔内に配置された分散液体の液塊７と、分散液体に分散された帯電粒子６と、帯電粒子６を駆動させるための表示電極３、共通電極４とを有する。分散液体の液塊７が液体隔壁８により区画され、複数の区画室が形成している。液体隔壁８が、分散液体と混合しない液体材料である。観察側基板１もしくは／および背面側基板２に、化学的パターンが形成されている。観察側基板１もしくは／および背面側基板２に、分散液体の親液部と疎液部が形成されている。液体隔壁８の屈折率と分散液体の屈折率差が０．１以下である。
【００６２】
電気泳動表示装置１００は、一度電気アドレッシングによる画像書き込みを行えば、表示維持電力を供給しなくとも画像は安定して表示され続ける。このため、表示画像の書き換え時以外には電力を要しないので、低電圧、小型電池での駆動が求められる電子ペーパー、読書端末等に利用することができる。液体隔壁８が液体であり、外部応力を形状変化することにより吸収することができる。液体隔壁８により区画されている分散液体の液塊７の位置は、背面側基板２に作製された位置規定のためのパターニングにより固定される。このため、曲げ動作に対する耐性に優れ、外部応力が取り除かれた時の形状復元にも優れる。同時に、製造容易性、大面積対応にも優れる。加えて、液体隔壁８の液体材料の屈折率を絶縁性液体に近い値に選択できるため、光損失が少なく、表示品位を向上できる。
【００６３】
＜第２実施形態＞
図３は第２実施形態の電気泳動表示装置の断面構成の説明図、図４は背面側基板の斜視図である。第２実施形態の電気泳動表示装置３００は、分散液体の液塊の界面に界面形成体９が配置され、共通電極１１が液体隔壁８に接続している。それ以外は、概ね第１実施形態と同様に構成されているので、図３、図４中、図１と共通する構成には共通の符号を付して詳細な説明を省略する。
【００６４】
図３に示すように、第２実施形態の電気泳動表示装置３００は、液体隔壁８と液塊７との界面を安定に保つために、界面形成体９を形成している。界面形成体９には、界面活性剤や液体の高分子層を用いることができる。界面形成体９は、帯電反発、粘性、立体構造などの効果を利用して、分散液体の液塊７と液体隔壁８との合一化を阻止する。隣接する液塊７の合一化も阻止する。界面形成体９を設ける場合、液体隔壁８の液体材料には、必ずしも液塊７の分散液体と混合しないものを選択する必要はない。
【００６５】
観察側基板１と背面側基板２との間に液体隔壁８の液体材料を充填する前に、帯電粒子６を含む液塊７の区画室を形成してもよい。例えば、界面活性剤を界面形成体９として用いて分散液体のエマルションを形成する方法がある。エマルションの形成のために用いる界面活性剤は、区画室を形成する液塊７が凝集および合一化せずに安定形成するように選択されることが望ましい。分散液体に対して大きな親液性を示す部位と、液体隔壁８の液体材料に対して大きな親液性を示す部位とを有する分子構造の界面活性剤を選択することも有効である。第２実施形態では、界面形成体９の材料を共変性型のシリコーン界面活性剤とし、分散液体を脂肪族炭化水素系溶媒とした。
【００６６】
分散液体と液体材料のエマルションは、背面側基板２上に配置した後に観察側基板１にて封止してもよい。また、背面側基板２と観察側基板１とを組み立てた後に、両者の間に毛細管現象などを利用して充填してもよい。
【００６７】
図３に示すように、分散液体の液塊７には、粒径２．５μｍのポリカーボネート粒子を黒色染料にて着色した帯電粒子６を分散してある。脂肪族炭化水素系の分散液体には、帯電制御剤としてカルボン酸塩を添加してあるので、分散液体中の帯電粒子６はプラス帯電である。
【００６８】
液体隔壁８の液体材料は、塩化カリウム水溶液である。帯電粒子６を含む分散液体の液塊７を共変性型のシリコーン界面活性剤と混合することにより、液体材料と分散液体とによるＯ／Ｗ型のエマルションを作製する。共変性型のシリコーン界面活性剤は、Ｏ／Ｗ型のエマルションを安定形成するために、ＨＬＢ指数が高い、親水性の界面活性剤を選択する。ＨＬＢ（Ｈｙｄｒｏｐｈｉｌｅ−ｌｉｐｏｐｈｉｌｅ  ｂａｌａｎｃｅ）指数は、界面活性剤の親水性と  疎水性の比率を表す。
【００６９】
図３を参照して図４に示すように、観察側基板１の上には、表示電極３が画素形状に対応して形成されており、絶縁層５にて覆われている。絶縁層５の上には、分散液体の液塊７を位置決めるための化学的パターンが形成されている。表示電極３と重なる位置には、分散液体に対して親液性の高い表示領域１０、隣接する表示電極３の間に配置された共通電極１１は、分散液体に対して疎液性の高い境界領域となっている。化学的パターンは、親液性、疎液性の材料を印刷法により転写して形成される。印刷以外のパターニング方法としては、フォトマスクを用いた露光、インクジェット、エッチング等を用いることができる。
【００７０】
このように作製した観察側基板１の上に、Ｏ／Ｗ型のエマルションと対向間隔設定用のスペーサビーズとが配置される。続いて背面側基板２を配置して、余分となる液体隔壁８の液体材料を押し出し排出する。その後に、観察側基板１と背面側基板２とを固定化して外周を封止する。
【００７１】
液体隔壁８の液体材料には、導電性液体（イオン液体）を使用しているので、液体隔壁８の起立面には、共通電極１１に接続された電極面が形成されている。表示電極３と共通電極１１とに配線を施し、駆動装置を接続することにより、表示電極３と液体隔壁８の間に電圧を印加することができる。表示電極３上の帯電粒子６の集合状態を変化させることにより、画素２０の表示を変化させて電気泳動表示装置３００に画像を表示できる。
【００７２】
第２実施形態の電気泳動表示装置３００は、液塊７の区画室が、表示電極３もしくは共通電極４上に形成される電極パターンと対応して形成されている。区画室で規定される分散液体の液塊７が、界面形成体９で覆われている。液体隔壁８は、導電性材料である。液体隔壁８が、イオン液体である。帯電粒子６を駆動させるための電極の一部が液体隔壁８である。
【００７３】
＜第３実施形態＞
図５は第３実施形態の電気泳動表示装置の断面構成の説明図、図６は背面側基板の斜視図である。第３実施形態の電気泳動表示装置４００は、分散液体の液塊７を位置決めするための立体構造物１２を背面側基板２に形成している。それ以外は、概ね第２実施形態と同様に構成されているので、図５、図６中、図３、図４と共通する構成には共通の符号を付して詳細な説明を省略する。
【００７４】
図５に示すように、帯電粒子６は、ポリカーボネート樹脂をカーボンブラックにより着色してあり、分散液体中ではマイナス帯電である。帯電粒子６を分散させた脂肪族炭化水素の分散液体の液塊７は、液体高分子により区画室が形成されている。液体隔壁８はイオン液体である。
【００７５】
図６に示すように、背面側基板２の上には、表示電極３が画素形状に対応して形成されており、絶縁層５にて覆われている。絶縁層５上における隣接する表示電極３の間隔には、液塊７および液体隔壁８の位置規定のための立体構造物１２、１３が形成されている。立体構造物１２、１３は、分散液体に対して撥液性の高い材料で形成され、隣接する液塊７の接触、融合を回避している。背の高い立体構造物１３は観察側基板１と背面側基板２との対向間隔を設定するスペーサを兼ねている。立体構造物１２、１３は、固体隔壁と同様な手法で形成できる。例えば、光硬化型の液体樹脂を塗布してパターン露光／硬化させ、未硬化樹脂を除去する。
【００７６】
立体構造物１２、１３を形成した観察側基板１の上に、高分子膜により形成される分散液体の液塊７の区画室を配置し、背面側基板２を配置して固定化する。続いて、液体隔壁８の液体材料であるイオン液体を、毛細管現象を利用して基板間隔に充填して注入口を閉じる。
【００７７】
表示電極３と液体隔壁８とに配線を施し、駆動装置を接続することにより、表示電極３と液体隔壁８の間に電圧を印加することができる。画素２０ごとに表示電極３上の帯電粒子６の集合状態を変化させて、電気泳動表示装置４００に必要な画像の表示を行うことができる。
【００７８】
第３実施形態の電気泳動表示装置４００は、観察側基板１もしくは／および背面側基板２に、立体構造物が形成されている。
【００７９】
＜比較例の電気泳動表示装置＞
図７は比較例の電気泳動表示装置の断面構成の説明図である。図中、（ａ）は黒表示、（ｂ）は白表示である。図７に示すように、電気泳動表示装置５００は、背面側基板１０２に固体の隔壁１０３を形成して、観察側基板１０１と背面側基板１０２との対向間隔を設定してある。観察側基板１０１と背面側基板１０２との間に絶縁性の分散液体１１０が充填され、分散液体１１０には多数の帯電粒子１０９が分散されている。背面側基板１０２には画素ごとの表示電極１０５が配置され、分散液体１１０を囲む隔壁１０３の４つの起立面に共通電極１０６を配置している。帯電粒子１０９は、黒色に着色され、分散液体１１０中でプラス極性に帯電している。
【００８０】
図７の（ａ）に示すように、共通電極１０６を接地電位として表示電極１０５にマイナス電圧を印加すると、プラス帯電である帯電泳動粒子１０９が表示電極１０５上に移動する。帯電粒子１０９が表示電極１０５を覆い尽くすため、観察側基板１０１から見た画素１２０は、帯電粒子１０９の色である黒表示となる。
【００８１】
一方、図７の（ｂ）に示すように、共通電極１０６を接地電位として表示電極１０５にプラス電圧を印加すると、プラス帯電である帯電粒子１０９は共通電極１０６上に移動する。帯電粒子１０９が排除されて表示電極１０５が露出するので、観察側基板１０１から見た画素１２０は、表示電極１０５の色である白表示となる。
【００８２】
このように、表示電極１０５の色と帯電粒子１０９の色との違いを利用して、画素１２０に種々の表示を行うことができる。隔壁１０３に導電性材料を用いることにより隔壁１０３を電極面として利用し、背面側基板１０２と隔壁１０３との間で帯電粒子１０９を平面方向に移動させることもできる。この場合、表示電極１０５上における帯電粒子１０９の集合状態を変化させて階調表示を行うことができる。
【００８３】
電気泳動表示装置５００は、帯電粒子１０９の集合状態を変化させて画素２０の表示を行うため、画素２０における帯電粒子１０９の量は、表示面積全体において常に一定に保つ必要がある。そのため、画像表示によって隣接する画素に帯電粒子１０９が移動しないように、各画素を規定する隔壁１０３が必須となる。
【００８４】
隔壁１０３を樹脂などの固体を用いて作製する場合、作成方法として、フォトリソグラフィ、エンボス加工、インクジェット法、などを選択できる。しかし、どの場合でも表示電極１０５との位置合わせ、加工精度、歩留まり、大面積対応、製造コスト等において問題が発生することがある。観察側基板１０１および背面側基板１０２として可撓性の材料を選択した場合、電気泳動表示装置５００の曲げ動作に対する耐性に問題が発生することがある。
【００８５】
＜発明との対応＞
第１実施形態の電気泳動表示装置１００は、観察側に配置された透明な観察側基板１と、観察側基板１に対向配置される背面側基板２とを備える。観察側基板１と背面側基板２との間隔に配置されて帯電粒子６が移動可能に分散された分散液体の液塊７と、背面側基板２上で隣接する液塊７を相互に隔離する液体材料の液体隔壁８とを備える。液体隔壁８の帯電粒子６に対する親和性は、分散液体よりも低い。
【００８６】
電気泳動表示装置１００では、特許文献３と同様に、固体の隔壁構造に頼ることなく、背面側基板２上で多数の液塊７がそれぞれ自己形状を保持する。しかし、隣接する液塊７の間隔は、分散液体との混合を禁じられた液体材料で満たされ、液体材料に境界付けられた液塊７の界面内で帯電粒子６を移動させて必要な表示を行う。液体材料は、液塊７の形状を保持することなく、背面側基板２上で隣接する液塊の間隔を満たし、背面側基板２の曲げに追従して流動するので液体隔壁８には応力が生じない。
【００８７】
従って、隔壁構造が背面側基板２の曲げに抵抗せず、概ね背面側基板２の曲げ抵抗と観察側基板１の曲げ抵抗とだけで電気泳動表示装置１００の曲げ抵抗が形成される。電気泳動表示装置１００の曲げに追従して液体隔壁８が自由に伸縮し、隔壁構造に応力を生じないので、破断やはがれを引き起して画素２０が破損することもない。
【００８８】
従って、背面側基板２の曲げ動作に対する耐性に優れ、外部応力が取り除かれた時の形状復元にも優れ、製造容易性、大面積対応にも優れる。空気の隔壁に比較して着色が容易なので、黒色の液体隔壁８によるブラックマトリックスの形成も可能である。空気の隔壁に比較して導電性の付与が容易なので、液体隔壁８の起立面を電極として利用する画素構造も採用できる。液体材料の屈折率を分散液体に近い値に選択できるため、界面反射による光損失が少なく、表示品位を向上できる。
【００８９】
電気泳動表示装置１００は、分散液体に対して親和性が高い表示領域を、液塊７の平面配置に一致させて、背面側基板２と観察側基板１との少なくとも一方に配置し、表示領域の間に位置する境界領域は、表示領域よりも分散液体に対する親和性が低い。
【００９０】
電気泳動表示装置１００は、表示領域が、分散液体に対する親液部、一方、境界領域が、分散液体に対する疎液部である。
【００９１】
第３実施形態の電気泳動表示装置４００は、背面側基板２における液塊７の配置輪郭の一部分に接触する立体構造物１２、１３を、背面側基板２と観察側基板１との少なくとも一方に配置し、立体構造物１２、１３は、少なくとも隣接する液塊７の間隔に、分散液体に対して親和性が低い材料を配置している。
【００９２】
第２実施形態の電気泳動表示装置３００は、液塊７と前記液体材料との間に、界面形成物質の界面形成体９が配置されている。
【００９３】
第２実施形態の電気泳動表示装置３００は、前記液体材料が、導電性材料である。
【００９４】
第２実施形態の電気泳動表示装置３００は、前記液体材料が、イオン溶液である。
【００９５】
第２実施形態の電気泳動表示装置３００は、前記液体材料は、複数の液塊７に対して共通の電位の面をそれぞれ準備する共通電極である。
【００９６】
電気泳動表示装置１００は、一対の基板部材（１、２）の間隔に帯電粒子６を含む液塊７が平面配列され、液塊７が液体材料の液体隔壁８で仕切られる。その製造方法は、帯電粒子６を含む分散液体の液塊７を一方の基板部材（２）上に平面配列させる第１工程と、液塊７が平面配列された基板部材（２）に他方の基板部材（１）を重ねて対向間隔を設定する過程で液塊７の間隔を満たした余分な液体材料を押し出し排出する第２工程とを備える。
【図面の簡単な説明】
【００９７】
【図１】第１実施形態の電気泳動表示装置の断面構成の説明図である。
【図２】変形例の電気泳動表示装置の断面構成の説明図である。
【図３】第２実施形態の電気泳動表示装置の断面構成の説明図である。
【図４】背面側基板の斜視図である。
【図５】第３実施形態の電気泳動表示装置の断面構成の説明図である。
【図６】背面側基板の斜視図である。
【図７】比較例の電気泳動表示装置の断面構成の説明図である。
【符号の説明】
【００９８】
１  観察側基板
２  背面側基板
３  表示電極
４  共通電極
５  絶縁層
６  帯電粒子
７  分散液体の液塊
８  液体隔壁
９  界面形成体
１０  表示領域、親液部
１１  境界領域、疎液部（共通電極）
１２、１３  立体構造物
【図１】
2007316349.tif 000003
【図２】
2007316349.tif 000004
【図３】
2007316349.tif 000005
【図４】
2007316349.tif 000006
【図５】
2007316349.tif 000007
【図６】
2007316349.tif 000008
【図７】
2007316349.tif 000009